(57)【要約】【課題】屋外装置（子機）を操作することなく、屋外から簡単な操作で、屋内装置（親機）に接続された電気錠の施錠確認や施錠動作が可能なインターホンシステムを提供する。【解決手段】居住者が子機２の近傍にてリモコン装置３の操作部３２を操作すると、施錠信号が子機２を介して親機１に転送される。施錠制御部１７が施錠信号を受信すると、電気錠５０の施錠状態を確認し、施錠されている場合は施錠確認信号を出力する。電気錠５０が施錠されていない場合は、施錠動作を行うと共に、施錠確認後、施錠確認信号を出力する。所定回数電気錠の施錠を試みて、電気錠５０を施錠できなかった場合は異常信号を出力する。情報出力部２３，２４，３１は、施錠確認信号又は異常信号が子機に転送されると、情報出力部は、施錠確認信号に応じた第１のパターン又は異常信号に応じた第２のパターンで情報を出力する。【選択図】図１
2011176496.tif 000002
【特許請求の範囲】
【請求項１】
親機、子機及びリモコン装置で構成され、前記リモコン装置からの操作により、前記子機及び前記親機を介して、前記親機に接続されている電気機器又はガス機器の状態又は設定を確認すると共に、前記電気機器又はガス機器の状態又は設定の切り替え可能なインターホンシステムであって、
前記リモコン装置に設けられ、ユーザによって操作される操作部と、
前記リモコン装置に設けられ、前記操作部の単一の操作ボタンによる操作に基づいて状態／設定確認信号を出力する信号出力部と、
前記リモコン装置に設けられ、前記状態／設定確認信号を電波により前記子機に送信すると共に、必要に応じて電波により前記子機から送信された信号を受信する第１無線インターフェースと、
前記子機に備えられ、電波により前記無線送信部から送信された前記状態／設定確認信号を受信すると共に、必要に応じて電波により前記親機から送信された信号を前記リモコン装置に向けて信号を送信する第２無線インターフェースと、
前記子機に設けられ、前記第２無線インターフェースにより受信した前記状態／設定確認を前記親機に転送する第１信号転送部と、
前記親機に設けられ、前記状態／設定確認信号に基づいて、前記電気機器又はガス機器の状態又は設定の確認を行い、前記操作がなされた時点で、前記電気機器又はガス機器が本来待機状態にあるべきものであるが待機状態になっていない場合及び前記電気機器又はガス機器が本来動作設定されているべきものであるが動作設定されていない場合、前記電気機器又はガス機器の状態又は設定の切り替えを行うと共に、前記電気機器又はガス機器の状態又は設定に応じた信号を出力する接続機器制御部と、
前記親機に設けられ、前記接続機器制御部から出力された前記電気機器又はガス機器の状態又は設定に応じた信号を前記子機に転送する第２信号転送部と、
前記子機又は前記リモコン装置に設けられ、前記電気機器又はガス機器の状態又は設定に応じた信号に応じた所定のパターンで情報を出力する情報出力部を備えたことを特徴とするインターホンシステム。
【請求項２】
前記操作部は、１つの操作ボタンのみを有し、該操作ボタンを操作するたびに、前記状態／設定確認信号と少なくとも１つの他の信号がサイクリックに出力されることを特徴とする請求項１記載のインターホンシステム。
【請求項３】
前記操作部は、表示装置と、少なくとも１つのスクロールボタン及び少なくとも１つの操作ボタンを備え、
前記スクロールボタンを操作するたびに、あらかじめ登録されている前記電気機器又はガス機器の名称が前記表示装置に順に表示され、
前記操作ボタンを操作することにより、前記信号出力部は、前記表示装置に表示されている電気機器又はガス機器に対して、前記電気機器の状態／設定確認信号を出力することを特徴とする請求項１に記載のインターホンシステム。
【請求項４】
前記電気機器又はガス機器は、前記接続機器制御部からの制御信号を受信して、その制御信号に応じて所定の動作を行いうるものであることを特徴とする請求項１乃至請求項３のいずれか一項に記載のインターホンシステム。
【請求項５】
前記電気機器は、所定の状態を検出するためのセンサであることを特徴とする請求項１乃至請求項３のいずれか一項に記載のインターホンシステム。
【請求項６】
前記電気機器は、前記接続機器制御部からの制御信号を受信して、その制御信号に応じて施錠及び解錠が可能な電気錠であることを特徴とする請求項１乃至請求項３のいずれか一項に記載のインターホンシステム。
【請求項７】
前記情報出力部は、前記子機に設けられた表示装置又はスピーカであることを特徴とする請求項１乃至請求項６のいずれか一項に記載のインターホンシステム。
【請求項８】
前記情報出力部は、前記リモコン装置に設けられた表示装置、スピーカ又はバイブレータであることを特徴とする請求項１乃至請求項６のいずれか一項に記載のインターホンシステム。
【請求項９】
前記電気機器は、待機電力量を最小とする第１待機状態と、それよりも待機電力量の大きい第２待機状態の切り替えが可能であり、
前記接続機器制御部は、さらに、前記第１待機状態と前記第２待機状態の切り替えを行うことを特徴とする請求項１乃至請求項３のいずれか一項に記載のインターホンシステム。
【請求項１０】
前記電気機器は、前記接続機器制御部によって通電状態と非通電状態の切り替えが可能な通電制御装置であり、前記接続機器制御部は、前記通電制御装置を非通電状態に切り替えることによって、前記通電制御装置に接続された電気機器の待機電力を遮断することを特徴とする請求項１乃至請求項３のいずれか一項に記載のインターホンシステム。
【請求項１１】
親機、子機及びリモコン装置で構成されるインターホンシステムであって、
前記リモコン装置に設けられ、ユーザによって操作される操作部と、
前記リモコン装置に設けられ、前記操作部の単一の操作ボタンによる第１操作に基づいて施錠信号を出力し、前記操作部の単一の操作ボタンによる第２操作に基づいて解錠信号を出力する信号出力部と、
前記リモコン装置に設けられ、前記施錠信号又は解錠信号を前記子機に送信すると共に、必要に応じて前記子機から送信された信号を受信する第１無線インターフェースと、
前記子機に備えられ、前記無線送信部から送信された前記施錠信号又は前記解錠信号を受信すると共に、必要に応じて前記親機から送信された信号を前記リモコン装置に向けて信号を送信する第２無線インターフェースと、
前記子機に設けられ、前記第２無線インターフェースにより受信した前記施錠信号又は前記解錠信号を前記親機に転送する第１信号転送部と、
前記親機に設けられ、前記施錠信号又は前記解錠信号に基づいて、住宅の玄関扉に設けられた電気錠の施錠状態の確認及び前記電気錠の施錠及び解錠を制御すると共に、前記電気錠が施錠されている場合に施錠確認信号を出力し、前記電気錠を施錠できなかった場合に異常信号を出力する施錠制御部と、
前記親機に設けられ、前記施錠制御部から出力された前記施錠確認信号又は前記異常信号を前記子機に転送する第２信号転送部と、
前記子機又は前記リモコン装置に設けられ、前記施錠確認信号に応じた第１のパターン又は前記異常信号に応じた第２のパターンで情報を出力する情報出力部を備えたことを特徴とするインターホンシステム。
【請求項１２】
前記情報出力部は、前記子機に設けられた表示装置又はスピーカであることを特徴とする請求項１１に記載のインターホンシステム。
【請求項１３】
前記情報出力部は、前記リモコン装置に設けられた表示装置、スピーカ又はバイブレータであることを特徴とする請求項１１に記載のインターホンシステム。
【請求項１４】
前記リモコン装置は、前記電気錠を施錠及び解錠するための鍵又はキーホルダと一体的に形成されていることを特徴とする請求項１１乃至請求項１３のいずれか一項に記載のインターホンシステム。
【請求項１５】
前記操作部は、１つの操作ボタンのみを有し、該操作ボタンを操作するたびに、サイクリックに前記施錠信号と前記解錠信号が交互に出力されることを特徴とする請求項１１乃至請求項１４のいずれか一項に記載のインターホンシステム。
【請求項１６】
前記親機は、前記住宅の屋内に設けられた少なくとも１つの電気機器又はガス機器に接続され、前記電気機器又はガス機器の状態／設定状態を確認すると共に、前記電気機器又はガス機器の状態／設定状態に応じた信号を出力し、前記子機から送信された制御信号に応じて前記電気機器又はガス機器の状態／設定状態を切り替える接続機器制御部をさらに備え、
前記信号出力部は、前記操作部に対する第３操作に基づいて状態／設定確認信号を出力し、
前記接続機器制御部は、前記状態／設定確認信号を受信すると、前記電気機器の状態／設定状態を確認し、前記第３操作がなされた時点で、前記電気機器又はガス機器が本来待機状態にあるべきものであるが待機状態になっていない場合及び前記電気機器又はガス機器が本来動作設定されているべきものであるが動作設定されていない場合、前記電気機器又はガス機器の状態又は設定の切り替えを行うと共に、前記電気機器又はガス機器の状態又は設定の切り替えが完了した場合に確認完了信号を出力し、前記電気機器又はガス機器の状態又は設定の切り替えができなかった場合に第２異常信号を出力し、
前記情報出力部は、前記接続機器制御部から出力された前記確認完了信号に応じた第３のパターン又は前記第２異常信号に応じた第４のパターンで情報を出力することを特徴とする請求項１１乃至請求項１４のいずれか一項に記載のインターホンシステム。
【請求項１７】
前記操作部は、表示装置と、少なくとも１つのスクロールボタン及び少なくとも１つの操作ボタンを供え、
前記スクロールボタンを操作するたびに、あらかじめ登録されている前記電気機器又はガス機器の名称が前記表示装置に順に表示され、
前記操作ボタンを操作することにより、前記信号出力部は、前記表示装置に表示されている電気機器又はガス機器に対して、前記電気機器の状態／設定状態又は前記状態／設定切替信号を出力することを特徴とする請求項１６に記載のインターホンシステム。
【発明の詳細な説明】
【技術分野】
【０００１】
本発明は、インターホンシステム、特に玄関先に設置される屋外装置から施錠状態や照明装置の消灯などの動作確認が可能なインターホンシステムに関する。
【背景技術】
【０００２】
従来からインターホンシステムと防犯装置やガス漏れセンサや火災報知器などの各種警報装置を接続し、携帯端末（携帯電話機）や屋外装置（子機）から防犯装置の状態／設定の確認を行ったり、設定解除したりすることが提案されている。例えば特許文献１には、屋外装置（子機）に居住者が所有する携帯端末と無線通信可能なインターフェースを設け、防犯設定などを屋外から行えるようにしている。一方、特許文献２には、屋外装置（子機）の操作ボタンを特定の組み合わせにおいて全て使用することにより、特定のボタンだけが特に汚れることを防止し、それによって防犯装置の設定解除動作を解読されにくくすることが示されている。
【０００３】
一般的に、戸建て住宅に設置されるインターホンシステムでは、玄関先に設置される屋外装置（子機）には、来訪者によって操作される呼び出しボタン（通常は１個）、マイクロホン、スピーカ及び必要に応じて撮像装置が設けられているのみである。また、集合住宅に設置されるインターホンシステムでは、建物又は敷地内への出入り口に設置される１又は複数の屋外装置（子機）と、各住戸に設置された複数の屋内装置（親機）で構成され、屋外装置（子機）には、集合住宅における部屋番号を入力するためのテンキー及び入力した部屋番号を確認するための表示装置などがさらに設けられている。
【０００４】
このようなインターホンシステムの現状を考慮すると、特許文献２のように戸建て住宅の玄関先に設置される屋外装置（子機）に複数の操作ボタンを設けたり、居住者が外出するたびに屋外装置を操作したりすると、不審者（例えば、これから空き巣に入ろうとして、目標となる住宅をさがしている者など）に、防犯装置の設定が屋外装置から解除できることを教えているようなものであり、プロの犯罪者に係れば容易に防犯システムが破られてしまう可能性が高い。また、集合住宅においては、テンキーを利用して暗証番号を入力すればよく、全ての操作ボタンを使用するまでもないと考えられる。
【０００５】
特許文献１によれば、携帯端末と子機との間の信号の送受信は赤外線又はその他の光を用いており、また、携帯端末と親機の間では電波による無線通信を用いている。そして、例えば、携帯端末から映像録画装置の留守中録画設定を可能としている。すなわち、特許文献１では、携帯端末として携帯電話機などの多機能端末装置の使用を想定している。そのため、操作ボタン数が多く、操作が複雑であり、操作に不慣れなユーザにとっては扱いづらいという問題点を有している。また、周知のように、携帯電話機は、陳腐化が早く、ユーザも比較的短期間で新機種に交換する。一方、インターホンシステムは、いったん設置されると数年又は数十年使用されることもあり、時間の経過と共に、インターホンシステムと携帯端末との整合性がとれなくなる可能性がある。
【先行技術文献】
【特許文献】
【０００６】
【特許文献１】特開２００２−３５２３６２号公報
【特許文献２】特開平７−２１２８４７号公報
【発明の概要】
【発明が解決しようとする課題】
【０００７】
本発明は、上記従来例の問題を解決するためになされたものであり、屋外装置（子機）を操作することなく、屋外から簡単な操作で、屋内装置（親機）に接続された機器の動作状態を確認したり、機器の動作を制御したりすることが可能なインターホンシステムを提供することを目的とする。
【課題を解決するための手段】
【０００８】
上記目的を達成するために請求項１の発明は、親機、子機及びリモコン装置で構成され、前記リモコン装置からの操作により、前記子機及び前記親機を介して、前記親機に接続されている電気機器又はガス機器の状態又は設定を確認すると共に、前記電気機器又はガス機器の状態又は設定の切り替えが可能なインターホンシステムであって、前記リモコン装置に設けられ、ユーザによって操作される操作部と、前記リモコン装置に設けられ、前記操作部の単一の操作ボタンによる操作に基づいて状態／設定確認信号を出力する信号出力部と、前記リモコン装置に設けられ、前記状態／設定確認信号を電波により前記子機に送信すると共に、必要に応じて電波により前記子機から送信された信号を受信する第１無線インターフェースと、前記子機に備えられ、電波により前記無線送信部から送信された前記状態／設定確認信号を受信すると共に、必要に応じて電波により前記親機から送信された信号を前記リモコン装置に向けて信号を送信する第２無線インターフェースと、前記子機に設けられ、前記第２無線インターフェースにより受信した前記状態／設定確認を前記親機に転送する第１信号転送部と、前記親機に設けられ、前記状態／設定確認信号に基づいて、前記電気機器又はガス機器の状態又は設定の確認を行い、前記操作がなされた時点で、前記電気機器又はガス機器が本来待機状態にあるべきものであるが待機状態になっていない場合及び前記電気機器又はガス機器が本来動作設定されているべきものであるが動作設定されていない場合、前記電気機器又はガス機器の状態又は設定の切り替えを行うと共に、前記電気機器又はガス機器の状態又は設定に応じた信号を出力する接続機器制御部と、前記親機に設けられ、前記接続機器制御部から出力された前記電気機器又はガス機器の状態又は設定に応じた信号を前記子機に転送する第２信号転送部と、前記子機又は前記リモコン装置に設けられ、前記電気機器又はガス機器の状態又は設定に応じた信号に応じた所定のパターンで情報を出力する情報出力部を備えたことを特徴とする。
【０００９】
請求項２の発明は、請求項１記載のインターホンシステムにおいて、前記操作部は、１つの操作ボタンのみを有し、該操作ボタンを操作するたびに、前記状態／設定確認信号と少なくとも１つの他の信号がサイクリックに出力されることを特徴とする。
【００１０】
請求項３の発明は、請求項１に記載のインターホンシステムにおいて、前記操作部は、表示装置と、少なくとも１つのスクロールボタン及び少なくとも１つの操作ボタンを備え、前記スクロールボタンを操作するたびに、あらかじめ登録されている前記電気機器又はガス機器の名称が前記表示装置に順に表示され、前記操作ボタンを操作することにより、前記信号出力部は、前記表示装置に表示されている電気機器又はガス機器に対して、前記電気機器の状態／設定確認信号を出力することを特徴とする。
【００１１】
請求項４の発明は、請求項１乃至請求項３のいずれか一項に記載のインターホンシステムにおいて、前記電気機器又はガス機器は、前記接続機器制御部からの制御信号を受信して、その制御信号に応じて所定の動作を行いうるものであることを特徴とする。
【００１２】
請求項５の発明は、請求項１乃至請求項３のいずれか一項に記載のインターホンシステムにおいて、前記電気機器は、所定の状態を検出するためのセンサであることを特徴とする。
【００１３】
請求項６の発明は、請求項１乃至請求項３のいずれか一項に記載のインターホンシステムにおいて、前記電気機器は、前記接続機器制御部からの制御信号を受信して、その制御信号に応じて施錠及び解錠が可能な電気錠であることを特徴とする。
【００１４】
請求項７の発明は、請求項１乃至請求項６のいずれか一項に記載のインターホンシステムにおいて、前記情報出力部は、前記子機に設けられた表示装置又はスピーカであることを特徴とする。
【００１５】
請求項８の発明は、請求項１乃至請求項６のいずれか一項に記載のインターホンシステムにおいて、前記情報出力部は、前記リモコン装置に設けられた表示装置、スピーカ又はバイブレータであることを特徴とする。
【００１６】
請求項９の発明は、請求項１乃至請求項３のいずれか一項に記載のインターホンシステムにおいて、前記電気機器は、待機電力量を最小とする第１待機状態と、それよりも待機電力量の大きい第２待機状態の切り替えが可能であり、前記接続機器制御部は、さらに、前記第１待機状態と前記第２待機状態の切り替えを行うことを特徴とする。
【００１７】
請求項１０の発明は、請求項１乃至請求項３のいずれか一項に記載のインターホンシステムにおいて、前記電気機器は、前記接続機器制御部によって通電状態と非通電状態の切り替えが可能な通電制御装置であり、前記接続機器制御部は、前記通電制御装置を非通電状態に切り替えることによって、前記通電制御装置に接続された電気機器の待機電力を遮断することを特徴とする。
【００１８】
請求項１１の発明は、親機、子機及びリモコン装置で構成されるインターホンシステムであって、前記リモコン装置に設けられ、ユーザによって操作される操作部と、前記リモコン装置に設けられ、前記操作部の単一の操作ボタンによる第１操作に基づいて施錠信号を出力し、前記操作部の単一の操作ボタンによる第２操作に基づいて解錠信号を出力する信号出力部と、前記リモコン装置に設けられ、前記施錠信号又は解錠信号を前記子機に送信すると共に、必要に応じて前記子機から送信された信号を受信する第１無線インターフェースと、前記子機に備えられ、前記無線送信部から送信された前記施錠信号又は前記解錠信号を受信すると共に、必要に応じて前記親機から送信された信号を前記リモコン装置に向けて信号を送信する第２無線インターフェースと、前記子機に設けられ、前記第２無線インターフェースにより受信した前記施錠信号又は前記解錠信号を前記親機に転送する第１信号転送部と、前記親機に設けられ、前記施錠信号又は前記解錠信号に基づいて、住宅の玄関扉に設けられた電気錠の施錠状態の確認及び前記電気錠の施錠及び解錠を制御すると共に、前記電気錠が施錠されている場合に施錠確認信号を出力し、前記電気錠を施錠できなかった場合に異常信号を出力する施錠制御部と、前記親機に設けられ、前記施錠制御部から出力された前記施錠確認信号又は前記異常信号を前記子機に転送する第２信号転送部と、前記子機又は前記リモコン装置に設けられ、前記施錠確認信号に応じた第１のパターン又は前記異常信号に応じた第２のパターンで情報を出力する情報出力部を備えたことを特徴とする。
【００１９】
請求項１２の発明は、請求項１１に記載のインターホンシステムにおいて、前記情報出力部は、前記子機に設けられた表示装置又はスピーカであることを特徴とする。
【００２０】
請求項１３の発明は、請求項１１に記載のインターホンシステムにおいて、前記情報出力部は、前記リモコン装置に設けられた表示装置、スピーカ又はバイブレータであることを特徴とする。
【００２１】
請求項１４の発明は、請求項１１乃至請求項１３のいずれか一項に記載のインターホンシステムにおいて、前記リモコン装置は、前記電気錠を施錠及び解錠するための鍵又はキーホルダと一体的に形成されていることを特徴とする。
【００２２】
請求項１５の発明は、請求項１１乃至請求項１４のいずれか一項に記載のインターホンシステムにおいて、前記操作部は、１つの操作ボタンのみを有し、該操作ボタンを操作するたびに、サイクリックに前記施錠信号と前記解錠信号が交互に出力されることを特徴とする。
【００２３】
請求項１６の発明は、請求項１１乃至請求項１４のいずれか一項に記載のインターホンシステムにおいて、前記親機は、前記住宅の屋内に設けられた少なくとも１つの電気機器又はガス機器に接続され、前記電気機器又はガス機器の状態／設定状態を確認すると共に、前記電気機器又はガス機器の状態／設定状態に応じた信号を出力し、前記子機から送信された制御信号に応じて前記電気機器又はガス機器の状態／設定状態を切り替える接続機器制御部をさらに備え、前記信号出力部は、前記操作部に対する第３操作に基づいて状態／設定確認信号を出力し、前記接続機器制御部は、前記状態／設定確認信号を受信すると、前記電気機器の状態／設定状態を確認し、前記第３操作がなされた時点で、前記電気機器又はガス機器が本来待機状態にあるべきものであるが待機状態になっていない場合及び前記電気機器又はガス機器が本来動作設定されているべきものであるが動作設定されていない場合、前記電気機器又はガス機器の状態又は設定の切り替えを行うと共に、前記電気機器又はガス機器の状態又は設定の切り替えが完了した場合に確認完了信号を出力し、前記電気機器又はガス機器の状態又は設定の切り替えができなかった場合に第２異常信号を出力し、前記情報出力部は、前記接続機器制御部から出力された前記確認完了信号に応じた第３のパターン又は前記第２異常信号に応じた第４のパターンで情報を出力することを特徴とする。
【００２４】
請求項１７の発明は、請求項１６に記載のインターホンシステムにおいて、前記操作部は、表示装置と、少なくとも１つのスクロールボタン及び少なくとも１つの操作ボタンを供え、前記スクロールボタンを操作するたびに、あらかじめ登録されている前記電気機器又はガス機器の名称が前記表示装置に順に表示され、前記操作ボタンを操作することにより、前記信号出力部は、前記表示装置に表示されている電気機器又はガス機器に対して、前記電気機器の状態／設定状態又は前記状態／設定切替信号を出力することを特徴とする。
【発明の効果】
【００２５】
請求項１の発明によれば、ユーザ（居住者）が、屋外からリモコン装置を操作することにより、住宅内に設けられている照明装置、空調装置（エアコン）、テレビ受像機などの電気機器やガス給湯器などのガス機器が作動中かあるいは待機状態にあるか、ガス漏れセンサ、火災センサ、人体感知センサなどの各種センサや緊急・非常通報装置などの防犯装置が作動状態に設定されているか否か、電気錠が施錠されているか否かなどを確認することができる。また、リモコン装置による確認動作により、電気機器やガス機器が作動中であれば、自動的に待機状態に切り替えられ、各種センサや防犯装置が作動状態に設定されていないときは、自動的に設定状態に切り替えられる。さらに、電気錠が施錠されていないときも、自動的に施錠される。リモコン装置による状態／設定確認操作は、単一の操作ボタンを操作することによって行われるので、リモコン装置自体の構造がきわめて簡単であり、かつ、操作も容易である。従って、操作に不慣れなユーザであっても、リモコン装置を簡単に取り扱うことができる。さらに、リモコン装置と子機の間の信号の送受信を電波により行うので、リモコン装置と子機との間に障害物があっても信号の送受信が可能である。
【００２６】
請求項２の発明によれば、リモコン装置の操作部が１つの操作ボタンのみで構成されるので、操作がきわめて簡単になる。他の信号としては、例えば電気錠を解錠するための解錠信号などが該当する。
【００２７】
請求項３の発明によれば、複数の電気機器又はガス機器を登録することができるので、１つのリモコン装置で様々な電気機器又はガス機器の状態確認や設定切替などを行うことができる。
【００２８】
請求項４の発明によれば、例えばマイコンや無線通信装置などを備え、接続機器制御部からの制御信号に応じて所定の動作を行うことができる電気機器又はガス機器を、特別な配線工事なしに直接制御することができる。換言すれば、請求項１の発明においては、接続機器制御部によりオン／オフ制御されるスイッチやコンセントを介することによって、マイコンや無線通信装置などを備えていない従来の電気機器などをオン／オフ制御することも含む。
【００２９】
請求項５の発明によれば、居住者の外出時に、ガス漏れセンサ、火災センサ、人体感知センサなどの各種センサや緊急・非常通報装置などの防犯装置を、屋外から作動状態に設定することができる。
【００３０】
請求項６の発明によれば、鍵を用いることなく、リモコン装置を用いて電気錠の施錠及び解錠を行うことができる。すなわち、居住者は、外出時に施錠行為を誰にも目撃されることはないので、その住宅が留守であるか否かが第三者に知られにくくなる。
【００３１】
請求項７の発明によれば、情報出力部として、従来から子機に設けられているＬＥＤや液晶モニタなどの表示装置又はスピーカを用いることができる。
【００３２】
請求項８の発明によれば、情報出力部として、リモコン装置に設けられたＬＥＤや液晶モニタなどの表示装置、スピーカ又はバイブレータを用いることにより、ユーザはリモコン装置を手にしたまま、例えば、歩きながら電気機器又はガス機器の状態確認や設定切替などを行うことができる。
【００３３】
請求項９又は請求項１０の発明によれば、居住者の不在時に電気機器の総待機電力量を少なくすることができる。
【００３４】
請求項１１の発明によれば、ユーザ（居住者）が子機の近傍にてリモコン装置の操作部を操作することにより、施錠信号又は解錠信号が子機を介して親機に転送される。施錠制御部が施錠信号を受信すると、施錠制御部は、電気錠の施錠状態を確認し、すでに電気錠が施錠されている場合は、施錠確認信号を出力する。また、電気錠が施錠されていない場合は、電気錠の施錠動作を行うと共に、電気錠が施錠されたことを確認したあと、施錠確認信号を出力する。また、所定回数電気錠の施錠を試みて、電気錠を施錠できなかった場合は、異常信号を出力する。情報出力部が子機に設けられている場合は、施錠確認信号又は異常信号が子機に転送されると、情報出力部は、施錠確認信号に応じた第１のパターン又は異常信号に応じた第２のパターンで情報を出力する。一方、情報出力部がリモコン装置に設けられている場合は、第２無線インターフェースから第１無線インターフェースに施錠確認信号又は異常信号が送信され、情報出力部は、施錠確認信号に応じた第１のパターン又は異常信号に応じた第２のパターンで情報を出力する。それによって、屋外にいるユーザは、電気錠が施錠されていること又は何らかの原因で電気錠が施錠されていないことを知ることができる。また、施錠制御部が解錠信号を受信すると、施錠制御部は、電気錠の施錠状態を確認し、電気錠が施錠されている場合は、電気錠の解錠動作を行う。それによって、ユーザは鍵を用いることなく、玄関の扉の電気錠の施錠及び解錠を行うことができる。そのため、不審者（例えば、これから空き巣に入ろうとして、目標となる住宅をさがしている者など）に不在であることが察知されにくくなるという効果を奏する。
【００３５】
請求項１２の発明によれば、情報出力部として、従来から子機に設けられているＬＥＤや液晶モニタなどの表示装置又はスピーカを用いることができる。また、仮に不審者に屋外装置の表示装置が点灯したりスピーカから音声が出力されたりするのを目撃されたとしても、子機には、直接電気錠の施錠及び解錠を行う操作ボタンもその機能も設けられていないので、不審者が子機をどのように操作しても、電気錠が解錠されることはない。
【００３６】
請求項１３の発明によれば、情報出力部として、リモコン装置に設けられたＬＥＤや液晶モニタなどの表示装置、スピーカ又はバイブレータを用いることにより、ユーザはリモコン装置を手にしたまま、電気錠の施錠確認又は電気錠の施錠及び解錠を行うことができる。特に、バイブレータを用いた場合、例えば、ユーザ（居住者）がポケットに手を入れたままリモコン装置を操作することにより、誰にも気づかれずに、電気錠の施錠確認又は電気錠の施錠及び解錠を行うことができる。
【００３７】
請求項１４の発明によれば、常時リモコン装置が電気錠の鍵と一緒に存在するので、取り扱いに便利であり、リモコン装置の置き忘れも防止することができる。
【００３８】
請求項１５の発明によれば、リモコン装置の操作部が１つの操作ボタンのみで構成されるので、操作がきわめて簡単になる。
【００３９】
請求項１６の発明によれば、リモコン装置から住宅の屋内に設けられた少なくとも１つの電気機器、例えば照明装置、エアコン、テレビ受像器などの比較的消費電力の大きな電気機器や、ガス漏れセンサ、火災センサ、人体感知センサなどの各種防犯センサの動作状態又は設定状態を確認し、それら電気機器の状態／設定状態を切り替えることができるので、特に、居住者が外出後、それらの電気機器を待機状態又は設定状態に切り替えたか否か確信がないときであっても、わざわざ屋内に戻ることなく、照明装置などの消し忘れや防犯センサの設定し忘れを防止することができる。なお、防犯センサは設定状態（オン）か、非設定状態（オフ）かのいずれかの状態のみをとり、待機状態はないものとしている。また、照明装置、エアコン、テレビ受像器などは、非動作状態（完全オフ状態）はとらず、それらの機器専用のリモコン装置からの制御信号を受信できるように待機状態をとるものとする。
【００４０】
請求項１７の発明によれば、複数の電気機器又はガス機器を登録することができるので、１つのリモコン装置で様々な電気機器又はガス機器の状態確認や設定切替などを行うことができる。
【図面の簡単な説明】
【００４１】
【図１】本発明の一実施形態に係る示すインターホンシステムの構成を示すブロック図。
【図２】上記インターホンシステムにおける電気錠の施錠又は施確認動作を示すフローチャート。
【図３】上記インターホンシステムにおける電気錠の施錠又は施確認動作の変形例を示すフローチャート。
【図４】インターホンシステムにおける電気機器又はガス機器の状態又は設定切替動作を示すフローチャート。
【発明を実施するための形態】
【００４２】
本発明の一実施形態に係るインターホンシステムについて、図面を参照しつつ説明する。本実施形態に係るインターホンシステムは、屋内装置（親機）１、屋外装置（子機）２及び居住者が所持するリモコン装置３で構成される。屋内装置１は、居住者によって操作される第１操作部１１と、来訪者と居住者の間で通話するための第１マイクロホン１２及び第１スピーカ１３と、所定の画像などを表示するための画像表示装置１４と、画像表示装置１４の画面に所定の情報を表示するための画像表示制御部１５と、第１スピーカから出力される音声を制御する音声制御部１６と、屋内装置１の全体を制御するための親機制御部（施錠制御部又は接続機器制御部）１７と、屋外装置２との間で信号の送受信を行う子機インターフェース（Ｉ／Ｆ）（第２信号転送部）１８と、必要に応じて撮像装置２６によって撮像された画像を記憶するための記憶部１９と、照明装置５１など住宅内に設けられている各種の機器と接続され、接続機器との間で信号の送受信などを行う接続機器インターフェース（Ｉ／Ｆ）１０を備えている。
【００４３】
一方、屋外装置２は、来訪者によって操作される第２操作部２１と、来訪者と居住者の間で通話するための第２マイクロホン２２及び第２スピーカ２３と、ＬＥＤなどの表示装置（情報出力部）２４と、リモコン装置３との間で信号の送受信を行う第２無線インターフェース（Ｉ／Ｆ）２５と、屋外装置２の周囲の所定範囲の画像を撮像するための撮像装置２６と、屋外装置２の全体を制御するための子機制御部（信号出力部）２７と、屋内装置１との間で信号の送受信を行う親機インターフェース（Ｉ／Ｆ）（第１信号転送部）２８を備えている。第２操作部２１としては、来訪者によって操作される呼び出しボタンや、テンキー及び呼び出しボタンなどが表示されたタッチパネルを用いることができる。
【００４４】
リモコン装置３は、屋外装置２との間で信号の送受信を行う第１無線インターフェース（Ｉ／Ｆ）３１と、ユーザ（居住者）によって操作される第３操作部３２と、（必要に応じて）屋外装置２の無線インターフェース（Ｉ／Ｆ）２５から送信された信号に応じて情報を出力する情報出力部３３と、第３操作部３２の操作に応じて所定の信号を出力する信号出力部３４などで構成されている。屋外装置２の無線インターフェース（Ｉ／Ｆ）２５とリモコン装置３の無線インターフェース（Ｉ／Ｆ）３１との間では、例えば特定小電力無線通信により、双方向に信号の送受信が可能である。リモコン装置３自体は、例えば住宅の玄関扉などに設けられた電気錠を施錠及び解錠するための鍵と一体的に構成されていてもよいし、あるいはキーホルダと一体的に構成されていてもよい。
【００４５】
なお、情報出力部３３は必ずしも必要ではないが、リモコン装置３に備えられていることが好ましい。また、リモコン装置３は、ユーザが、例えばポケットに手を入れたまま、指で操作できる大きさであることが好ましい。情報出力部３３は、受信した信号の内容に応じて、出力方法が複数種類に切り替えられることが好ましく、その方法は特に限定されない。例えば、音声によって情報を出力してもよいし、ＬＥＤの点滅や液晶モニタへの文字表示によって情報を出力してもよい。あるいは、上記のようにユーザがポケットに手を入れたまま操作する場合は、バイブレータによる振動によって情報を出力してもよい。
【００４６】
画像表示制御部１５、音声制御部１６及び親機制御部１７は、例えば同一のＣＰＵ、ＲＯＭ及びＲＡＭなどで構成された制御装置であり、ＲＯＭにインストールされた制御プログラムに従ってそれぞれの機能を実行する。子機制御部２７も同様に、親機制御部１７などとは別のＣＰＵ、ＲＯＭ及びＲＡＭなどで構成されている。記憶部１９としては、例えばハードディスク装置やＳＤカードなどの大容量記憶装置を用いることができる。
【００４７】
屋内装置（親機）１には、電気錠５０、照明装置５１、エアコン５２、テレビ受像機５３などの電気機器の外、ガス漏れセンサ５４、火災センサ５５、人体感知センサ５６などの各種センサ及びこれらのセンサが異常を検出したときに警備会社などに通報する緊急・非常通報装置５７、ガス給湯器５８などのガス機器が接続されている。
【００４８】
次に、本実施形態に係るインターホンシステムにおけるリモコン装置からの電気錠の施錠又は施確認動作について、図２に示すフローチャートを参照しつつ説明する。まず、居住者が屋外装置（子機）２の付近でリモコン装置３の第３操作部３２の施錠ボタンを操作すると（第１操作、＃１）、リモコン装置３の信号出力部３４は施錠信号を出力し、無線インターフェース３１を介して施錠信号が屋外装置２の無線インターフェース２５に送信され（＃２）、さらに、親機インターフェース２８及び子機インターフェース１８を介して親機制御部１７に転送される（＃３）。親機制御部（施錠制御部）１７は、施錠信号を受信すると、接続機器インターフェース１０を介して電気錠５０の施錠確認動作を行う（＃４）。ここで、電気錠５０が施錠済みである場合、すなわち、居住者自身が住宅の玄関扉を閉める際に鍵で電気錠５０を施錠している場合は（＃５でＹＥＳ）、親機制御部１７は、施錠確認信号を、子機インターフェース１８及び親機インターフェース２８を介して子機制御部２７に送信する（＃６）。子機制御部２７は、施錠確認信号を受信すると、ＬＥＤなどの表示装置２４を第１パターン（例えば、一定時間連続点灯）で点灯させる（＃７）。同時に、第２スピーカ２３から施錠確認音又は施錠確認メッセージを出力してもよい。一方、電気錠５０が施錠済みでない場合、すなわち、居住者自身が住宅の玄関扉を閉める際に鍵で電気錠５０を施錠していない場合は（＃５でＮＯ）、親機制御部１７は、電気錠５０の施錠動作を実行する（＃８）。施錠済みとなれば（＃８−１でＹＥＳ）、＃６へ移行するが、所定回数（例えば３回）施錠動作を実行しても、電気錠５０の施錠確認をできない場合は（＃９でＹＥＳ）、例えば扉にゴミなどが挟まっていて施錠できない可能性があるので、親機制御部１７は、異常信号を、子機インターフェース１８及び親機インターフェース２８を介して子機制御部２７に送信する（＃１０）。子機制御部２７は、異常信号を受信すると、ＬＥＤなどの表示装置２４を第２パターン（例えば、一定時間点滅）で点灯させる（＃１１）。同時に、第２スピーカ２３から警告音又は警告メッセージを出力してもよい。
【００４９】
居住者が帰宅し、電気錠５０を解錠する場合も同様に、居住者が屋外装置（子機）２の付近でリモコン装置３の第３操作部３２の解錠ボタンを操作し（第２操作）、解錠信号を親機制御部１７に送信することにより行う（上記施錠動作から自明であるので、フローチャートによる説明を省略する）。なお、この実施形態では、施錠信号と解錠信号は、信号パターンを変える必要があり、第３操作部３２も施錠ボタンと解錠ボタンが必要である。
【００５０】
ところで、居住者が外出するたびに屋外装置２の表示装置２４が点灯したり第２スピーカ２３から音声が出力されたりするのは不自然であり、不審者（例えば、これから空き巣に入ろうとして、目標となる住宅をさがしている者など）に目撃されると、屋外装置２から電気錠５０の施錠及び解錠が可能であることを知られてしまうおそれがある。しかしながら、本実施形態のインターホンシステムでは、屋外装置（子機）２には、直接電気錠５０の施錠及び解錠を行う操作ボタンもその機能も設けられていないので、不審者が屋外装置２をどのように操作しても、電気錠５０が解錠されることはない。
【００５１】
図３は、本実施形態に係るインターホンシステムにおけるリモコン装置からの電気錠の施錠又は施確認動作の変形例を示すフローチャートである。図３において、ステップ＃２１〜＃２６及び＃２９〜＃３１は、図２におけるステップ＃１〜＃６及び＃８〜＃１０と同じであるため、それらの説明は省略する。この変形例では、居住者が外出する際に、より自然に振る舞うために、リモコン装置３に必要に応じて設けられている情報出力部３３を利用する。すなわち、ステップ＃２７において、子機制御部２７が施錠確認信号を受信すると、ＬＥＤなどの表示装置２４を点灯させずに、無線インターフェース２５を介して施錠確認信号をリモコン装置３に転送する。そして、情報出力部３３は、施錠確認信号に応じた第１パターンで駆動される（＃２８）。例えば、情報出力部３３がバイブレータである場合は、一定時間（例えば１秒間）だけ連続して振動する。また、ステップ＃３２において、子機制御部２７が異常信号を受信すると、ＬＥＤなどの表示装置２４を点灯させずに、無線インターフェース２５を介して異常信号をリモコン装置３に転送する。そして、情報出力部３３は、異常信号に応じた第２パターンで駆動される（＃３３）。例えば、情報出力部３３がバイブレータである場合は、一定間隔（例えば１秒間）で複数回振動と停止を繰り返す。上記のように、ユーザ（居住者）がポケットに手を入れたままリモコン装置３を操作した場合、誰にも気づかれずに、電気錠５０の施錠確認又は電気錠５０の施錠及び解錠を行うことができる。なお、上記のように、情報出力部３３はＬＥＤや液晶モニタであってもよい。
【００５２】
なお、上記実施形態では、リモコン装置３の第３操作部３２の操作ボタンとして施錠ボタンと解錠ボタンの２つを備えたものを例示したが、本発明に係るインターホンシステムは、上記実施形態に限定されるのもではなく、様々な変形が可能である。例えば、リモコン装置３の第３操作部３２の操作ボタンを１つとし、サイクリックに施錠信号と解錠信号を出力するように構成してもよい。あるいは、リモコン装置３は情報出力部３３を備えておらず、無線インターフェース３１は施錠信号又は解錠信号を送信する機能のみを有しているものであってもよい。
【００５３】
さらに、リモコン装置３の第３操作部３２の操作ボタンを３つ以上とし、それらの操作ボタンの操作回数及び操作順序を組み合わせることにより、リモコン装置３からの操作によって、施錠信号及び解錠信号以外の信号を出力できるように構成してもよい。例えば、リモコン装置３から、屋内装置（親機）１に接続されている照明装置５１の消灯、エアコン５２やテレビ受像機５３などの電気機器やガス給湯器５８などのガス機器のオフなどを確認又は制御できるように構成してもよい。また、ガス漏れセンサ５４、火災センサ５５、人体感知センサ５６、緊急・非常通報装置５７の設定又はモード切り替えを行えるように構成してもよい。
【００５４】
図４は、リモコン装置３からの電気機器又はガス機器の状態／設定確認動作を示すフローチャートである。この場合、リモコン装置３の情報出力部３３として液晶モニタなどの表示装置を用いると共に、第３操作部３２に少なくとも１つのスクロールボタン及び少なくとも１つの操作ボタンを設け、親機制御部１７を接続機器制御部として用いる。
【００５５】
まず、スクロールボタンを操作すると（＃４１）、あらかじめ登録されている電気機器又はガス機器の名称が表示装置の画面上に順に表示される（＃４２）。ユーザ（居住者）は、表示装置の画面上に表示される電気機器又はガス機器の名称を見ながら、スクロールボタンを操作し、状態／設定確認したい機器の名称が表示された状態で操作ボタンを操作する（第３操作）（＃４３でＹＥＳ）。そうすると、子機制御部（信号出力部）２７から、その機器を特定するためのＩＤなどが付加された状態／設定確認信号が出力される（＃４４）。親機制御部（接続機器制御部）１７は、状態／設定確認信号を受信すると、接続機器インターフェース（Ｉ／Ｆ）１０を介して、ＩＤで特定された電気機器又はガス機器５１〜５８の状態／設定を確認する（＃４５）。特定された電気機器又はガス機器５１〜５８がすでに待機状態にあるか又は作動設定済みの場合（＃４６でＹＥＳ）、親機制御部１７（接続機器制御部）は、待機状態であること又は設定済みを示す確認完了信号を出力する（＃４７）。一方、特定された電気機器又はガス機器５１〜５８が作動中又は作動非設定の場合（＃４６でＮＯ）、親機制御部１７（接続機器制御部）は、その特定された電気機器又はガス機器５１〜５８を待機状態に切り替え又は作動設定に設定を切り替え（＃４８）、確認完了信号を出力する（＃４７）。電気機器又はガス機器５１〜５８の状態又は設定の切り替えができなかった場合（＃４９でＹＥＳ）、親機制御部（接続機器制御部）１７は第２異常信号を出力する（＃５０）。そして、情報出力部２３、２４又は３３は、親機制御部（接続機器制御部）１７から出力された確認完了信号に応じた第３のパターン又は第２異常信号に応じた第４のパターンで情報を出力する（＃５１）。それによって、ユーザ（居住者）は、第３のパターンにより、照明装置５１、エアコン５２、テレビ受像機５３などの電気機器又はガス給湯器５８などのガス機器を、いわゆる消し忘れたか否か、ガス漏れセンサ５４、火災センサ５５、人体感知センサ５６及び緊急・非常通報装置５７などの防犯センサの設定をし忘れたか否かを知ることができる。それによって、居住者が外出後、それらの電気機器又はガス機器を待機状態又は設定状態に切り替えたか否か確信がないときであっても、わざわざ屋内に戻ることなく、照明装置などの消し忘れや防犯センサの設定し忘れを防止することができる。また、第４のパターンにより、何らかの理由でこれらの電気機器又はガス機器５１〜５８を待機状態にできないか又は設定切替できないことを知ることができる。
【００５６】
なお、照明装置５１、エアコン５２、テレビ受像機５３、ガス給湯器５８などの電気機器又はガス機器は、親機制御部（接続機器制御部）１７によって動作状態と待機状態に切り替えられること、及び各種の設定を記憶しておかなければならないことなどから、非動作状態（完全オフ状態）にはならず、例えばこれらの機器専用のリモコン装置からの制御信号を受信するために待機状態となる。一方、ガス漏れセンサ５４、火災センサ５５、人体感知センサ５６及び緊急・非常通報装置５７などの防犯センサは、設定済み状態か非設定状態かのいずれかの状態のみをとるものとしている。
【００５７】
ところで、近年、省電力及び経費節減を目的として、電気機器の待機電力を遮断することが提案されている。例えば、照明装置５１やエアコン５２など一部の電気機器は、不在時に完全に電力を遮断しても特に問題はない。そのため、待機電力を遮断してもよい電気機器に関しては、例えば親機制御部（接続機器制御部）１７によってオン／オフ制御可能な、例えばリモコン制御式コンセントなどの通電制御装置を介して電力を供給するように構成してもよい。それによって、不在時における総待機電力量を最小化することも可能である。あるいは、待機状態においても電子番組ガイド（ＥＰＧ）を取得する地上波ディジタルテレビ受像機のように、一時的に待機電力が大きくなるような電気機器においては、タイマーを作動させたり、メモリに記憶された各種設定を維持したりするための最低限の待機電力のみを消費する第１待機状態と、専用のリモコン装置からの信号を受信したり、電子番組ガイドを取得したりする第２待機状態に切り替え可能とし、親機制御部（接続機器制御部）１７によって第１待機状態と第２待機状態を切り替えるように構成してもよい。さらに、親機制御部（接続機器制御部）１７は、それに接続されている複数の電気機器により待機電力量をモニタし、総待機電力量が所定の閾値を超えた場合に、待機電力量の大きな電気機器から順に待機電力を遮断するように構成してもよい。
【符号の説明】
【００５８】
１  屋内装置（親機）
２  屋外装置（子機）
３  リモコン装置
１０  接続機器インターフェース（Ｉ／Ｆ）
１１  第１操作部
１２  第１マイクロホン
１３  第１スピーカ
１４  画像表示装置
１５  画像表示制御部
１６  音声制御部
１７  親機制御部（施錠制御部、接続機器制御部）
１８  子機インターフェース（Ｉ／Ｆ）（第２信号転送部）
１９  記憶部
２１  第２操作部（操作部）
２２  第２マイクロホン
２３  第２スピーカ（情報出力部）
２４  表示装置（情報出力部）
２５  第２無線インターフェース（Ｉ／Ｆ）
２６  撮像装置
２７  子機制御部（信号出力部）
２８  親機インターフェース（Ｉ／Ｆ）（第１信号転送部）
３１  第１無線インターフェース（Ｉ／Ｆ）
３２  第３操作部
３３  情報出力部
【図１】
2011176496.tif 000003
【図２】
2011176496.tif 000004
【図３】
2011176496.tif 000005
【図４】
2011176496.tif 000006